(57)【要約】【課題】簡単な機構でインクジェット記録ヘッドをキャリッジに前後及び傾斜方向に調整可能に取り付けることができるようにする。【解決手段】印字媒体に対して相対移動可能なキャリッジ６に、インクジェット記録ヘッド８の一方の側面をばね３０で押圧する側方弾発手段と、インクジェット記録ヘッド８の前後方向の一方の端面を押圧するヘッド弾発手段２４と、インクジェット記録ヘッド８の他方の側面の一方側を係止する支点係止手段３２と、押圧体５２の移動によってインクジェット記録ヘッド８を支点係止手段３２を支点として揺動する方向に変位させる傾き調整手段と、インクジェット記録ヘッド８の前後方向の他方の端面を押圧する押圧体５８の移動によってインクジェット記録ヘッド８を前後方向に変位させる前後調整手段とが配設され、これら各手段により、キャリッジ６にインクジェット記録ヘッド８が前後方向及び傾斜方向に調整可能に取り付けられる。【選択図】  図１
2004243666.tif 000002
【特許請求の範囲】
【請求項１】
インクジェット記録ヘッドを搭載したキャリッジを印字媒体に対して主走査方向に移動し、前記インクジェット記録ヘッドの前記印字媒体に対向するノズルからインクを吐出して前記印字媒体に印字を行うインクジェットプリンタにおいて、前記キャリッジに前記インクジェット記録ヘッドを前記主走査方向に対して直角な前後方向の位置及び該前後方向に平行な軸線に対して成す角度を調整可能に取り付けるための記録ヘッド取付機構であって、前記インクジェット記録ヘッドの一方の側面を該側面に対して略直角方向にばねで押圧する前記キャリッジに配設された側方弾発手段と、前記インクジェット記録ヘッドの前後方向の両端のうちの一方の端面を他方の端面の方向に押圧する前記キャリッジに配設されたヘッド弾発手段と、前記インクジェット記録ヘッドの他方の側面の一方側を係止する前記キャリッジに配設された支点係止手段と、前記インクジェット記録ヘッドの他方の側面の他方側を押圧する第１の押圧体を有し該第１の押圧体が前記他方側に対して進退方向に移動可能に前記キャリッジ上に支持され前記第１の押圧体の移動によって前記インクジェット記録ヘッドを前記支点係止手段を支点として揺動する方向に変位させる傾き調整手段と、前記インクジェット記録ヘッドの前後方向の両端のうち他方の端面を押圧する第２の押圧体を有し該第２の押圧体が前記他方の端面に対して進退方向に移動可能に前記キャリッジ上に支持され前記第２の押圧体の移動によって前記インクジェット記録ヘッドを前後方向に変位させる前後調整手段とを備えたことを特徴とするインクジェットプリンタにおける記録ヘッド取付機構。
【請求項２】
前記側方弾発手段は、前記インクジェット記録ヘッドの側部を側方と下向きに加圧する下向きに傾斜したばね体を有し、前記支点係止手段及び前記第１の押圧体が前記インクジェット記録ヘッドの他方の側部を下向きに案内する下向き案内面を有し、前記インクジェット記録ヘッドの両側部が前記側方弾発手段の弾発力によってキャリッジに密着する下向き方向に加圧されるようにしたことを特徴とする請求項１に記載のインクジェットプリンタにおける記録ヘッド取付機構。
【請求項３】
前記傾き調整手段は、前記第１の押圧体がアームに支承され、該アームが前記キャリッジに回転自在に枢支され、前記アームに傾き調整用のねじが螺合し、該ねじの先端が前記キャリッジ側に固定された係止面に突き当てられ、該ねじの回転による軸方向の変位によって前記アームが揺動し、該揺動に応じて前記第１の押圧体が前記インクジェット記録ヘッドの他方の側面の他方側に対して進退方向に移動するようにしたことを特徴とする請求項１に記載のインクジェットプリンタにおける記録ヘッド取付機構。
【請求項４】
前記前後調整手段は、前記第２の押圧体がアームに設けられ、該アームが前記キャリッジに回転自在に枢支され、該アームが前記キャリッジ側に固設された取付体のねじ穴に螺合する前後位置調整用のねじと係合し、該ねじの回転による軸方向の変位によって前記アームが揺動し、該揺動に応じて前記第２の押圧体が前記インクジェット記録ヘッドの端面に対して進退方向に移動するようにしたことを特徴とする請求項１に記載のインクジェットプリンタにおける記録ヘッド取付機構。
【発明の詳細な説明】
【０００１】
【発明の属する技術分野】
本発明はインクジェットプリンタにおける記録ヘッド取付機構に関する。
【０００２】
【従来の技術】
インクジェットプリンタにおいて、プリントヘッドの、用紙に対する前後位置とプリントヘッドの傾きを調整可能としたヘッド取付機構が特開平１０−８６３５５号公報に開示されている。
【０００３】
【発明が解決しようとする課題】
従来のヘッド取付機構においては、記録ヘッド側をキャリッジ側に固設した枢軸にスライド自在且つ回転自在に取り付け、この枢軸を中心とする記録ヘッドの回転変位によって記録ヘッドの傾き調整を行うとともに、枢軸の長手方向に沿った記録ヘッドの移動によって記録ヘッドの前後方向の位置調整を行っている。このように、記録ヘッド側をキャリッジ側に枢軸等により結合する構成とすると、記録ヘッドをキャリッジに取り付ける機構が複雑となり、コストアップの原因となる。
本発明の主たる目的は、記録ヘッドをキャリッジに簡単な機構によって前後方向及び傾斜方向に調整自在に結合できるようにすることである。
また本発明の他の目的は、記録ヘッドをばねの弾力によってキャリッジに密着させ、記録ヘッドをねじ止め等の固定機構を用いることなく確実にキャリッジに固着できるようにすることである。
【０００４】
【課題を解決するための手段】
上記目的を達成するため、本発明は、インクジェット記録ヘッドを搭載したキャリッジを印字媒体に対して主走査方向に移動し、前記インクジェット記録ヘッドの前記印字媒体に対向するノズルからインクを吐出して前記印字媒体に印字を行うインクジェットプリンタにおいて、前記キャリッジに前記インクジェット記録ヘッドを前記主走査方向に対して直角な前後方向の位置及び該前後方向に平行な軸線に対して成す角度を調整可能に取り付けるための記録ヘッド取付機構であって、前記インクジェット記録ヘッドの一方の側面を該側面に対して略直角方向にばねで押圧する前記キャリッジに配設された側方弾発手段と、前記インクジェット記録ヘッドの前後方向の両端のうちの一方の端面を他方の端面の方向に押圧する前記キャリッジに配設されたヘッド弾発手段と、前記インクジェット記録ヘッドの他方の側面の一方側を係止する前記キャリッジに配設された支点係止手段と、前記インクジェット記録ヘッドの他方の側面の他方側を押圧する第１の押圧体を有し該第１の押圧体が前記他方側に対して進退方向に移動可能に前記キャリッジ上に支持され前記第１の押圧体の移動によって前記インクジェット記録ヘッドを前記支点係止手段を支点として揺動する方向に変位させる傾き調整手段と、前記インクジェット記録ヘッドの前後方向の両端のうち他方の端面を押圧する第２の押圧体を有し該第２の押圧体が前記他方の端面に対して進退方向に移動可能に前記キャリッジ上に支持され前記第２の押圧体の移動によって前記インクジェット記録ヘッドを前後方向に変位させる前後調整手段とを備えたものである。
また本発明は、前記側方弾発手段は、前記インクジェット記録ヘッドの側部を側方と下向きに加圧する下向きに傾斜したばね体を有し、前記支点係止手段及び前記第１の押圧体が前記インクジェット記録ヘッドの他方の側部を下向きに案内する下向き案内面を有し、前記インクジェット記録ヘッドの両側部が前記側方弾発手段の弾発力によってキャリッジに密着する下向き方向に加圧されるようにしたものである。
また本発明は、前記傾き調整手段は、前記第１の押圧体がアームに支承され、該アームが前記キャリッジに回転自在に枢支され、前記アームに傾き調整用のねじが螺合し、該ねじの先端が前記キャリッジ側に固定された係止面に突き当てられ、該ねじの回転による軸方向の変位によって前記アームが揺動し、該揺動に応じて前記第１の押圧体が前記インクジェット記録ヘッドの他方の側面の他方側に対して進退方向に移動するようにしたものである。
また本発明は、前記前後調整手段は、前記第２の押圧体がアームに設けられ、該アームが前記キャリッジに回転自在に枢支され、該アームが前記キャリッジ側に固設された取付体のねじ穴に螺合する前後位置調整用のねじと係合し、該ねじの回転による軸方向の変位によって前記アームが揺動し、該揺動に応じて前記第２の押圧体が前記インクジェット記録ヘッドの端面に対して進退方向に移動するようにしたものである。
【０００５】
【発明の実施の形態】
以下に本発明の実施の形態を添付した図面を参照して詳細に説明する。
図１０において、符号２はインクジェットプリンターのＹレールであり、機体４に支持具を介して固設されている。６はヘッドキャリッジであり、上部が前記Ｙレール２に、これに沿って即ちＹ軸方向に往復動可能に連結している。前記ヘッドキャリッジ６の基板６ａには、複数個のインクジェット記録ヘッド８が、後述する取付位置調整機構を介して、取り付けられている。なお、図１０においては、説明の便宜のため、４個の記録ヘッド８のうち２個の記録ヘッド８を図示し、他の２個の記録ヘッドをキャリッジ基板６ａから取り外した状態を示している。前記ヘッドキャリッジ６のサブタンク支持部には、複数個のサブタンク１０が取り付けられ、該各サブタンク１０と、これらに対応する各記録ヘッド８とは、チューブを介して連結している。前記キャリッジ基板６ａの両側には、ＵＶランプ（紫外線ランプ）を備えた紫外線照射装置１２，１２が設けられている。
【０００６】
１４は、プリント基板などの板状の印字媒体を取り付けるためのバキューム機能を備えたプラテンであり、機体４上に、床面に対して水平なＸレール（図示省略）を介して、前記Ｙレール２に直角なＸ軸方向に往復動可能に支持されている。前記プラテン１４及びヘッドキャリッジ６は、それぞれコントローラによって制御されるＸＹ駆動装置に連係している。前記インクジェット記録ヘッド８には、サブタンク１０を通じて紫外線硬化型インクが供給され、該インクが記録ヘッド８の底面に開口するノズルから吐出されて、プラテン１４上の印字媒体に印字が行われるように構成されている。
【０００７】
次に図１乃至図９を参照して、記録ヘッドの取付位置調整機構について説明する。
前記インクジェット記録ヘッド８は、多数のインク吐出ノズルを有するヘッド本体８ａと、ヘッド固定部材８ｂとから構成され、ヘッド本体８ａの底面にインク吐出ノズルが複数一列状に開口配置されている。前記ヘッド本体８ａの底面は、細長状の長方形を形成し、この長方形状の底面の長手方向に沿ったラインＬ（図２参照）上に、多数のノズル（図示省略）が所定間隔を存して配列されている。前記ヘッド固定部材８ｂは、細長い四角形状の枠体から構成され、その中央部の空間部に前記ヘッド本体８ａの底部が挿入され、該底部がヘッド固定部材８ｂに固定されている。前記ヘッド本体８ａの底面は、ヘッド固定部材８ｂの底面より所定長さ突出している。
【０００８】
前記ヘッド固定部材８ｂの一側部の前後位置には、ばね受け用の突部１６，１８が形成されている。また、ヘッド固定部材８ｂの他側部の前後位置には、コロ受け用の突部２０，２２が形成されている。２４は、記録ヘッド８の後部面を前方に押圧するための板ばねから成るヘッド弾発手段であり、キャリッジ基板６ａに設けられたばねホルダー（図示省略）に固定されている。２６は、キャリッジ基板６ａの台２８（図２参照）にねじ止め固定されたばねホルダーであり、これに、記録ヘッド８の一側面を側方即ち図１中、左方向に押圧するための板ばね３０が固定されている。前記板ばね３０には、図６に示すように、下向きに屈折した下向き傾斜部３０ａが形成され、該傾斜部３０ａは、前記記録ヘッド８の突部１６，１８に圧接し、記録ヘッド８の側部をこれに対してほぼ直角な側方即ち図６中、左方向と、下向きの２方向に加圧するように構成されている。
【０００９】
前記ばねホルダー２６、板ばね３０及び台２８は、記録ヘッド８を側方に弾発する側方弾発手段を構成している。３２は、キャリッジ基板６ａに軸支されたコロから成る支点係止手段であり、そ円錐型周面が記録ヘッド８の後部の突部２２に当接する位置に配置されている。前記支点係止手段３２の円錐型周面は、記録ヘッド８を下向きに案内する下向き案内面を構成している。３４は、キャリッジ基板６ａに、隙間３６，３８（図３参照）を存して、垂直に固設された板状の取付体であり、これのねじ穴に調整ネジ４０が螺合している。前記取付体３４の一方の下方には、図９に示すように、アーム４２の中間部４６と、アーム４４の一端部４８が配置され、アーム４２の中間部４６と、アーム４４の一端部４８とは、スペーサを介して、取付体３４の一方とキャリッジ基板６ａ間に回転自在に軸５０支されている。
【００１０】
前記アーム４２の一方側には、コロから成る押圧体５２が回転自在に軸５４支され、該押圧体５２の円錐型周面は、記録ヘッド８の側面の前方の突部２０に当接する位置に配置されている。前記押圧体５２の円錐面は、記録ヘッド８の側部を下方向に案内する下向き案内面を構成している。前記アーム４２の他方側は、前記取付体３４の、前記キャリッジ基板６ａに対して垂直な壁面３４ａ（係止面）に、所定の間隔を存して、水平に対向している。前記アーム４２の他方側に穿設されたねじ穴には、調整ねじ５６が螺合し、該調整ねじ５６の先端は、前記取付体３４の壁面３４ａに当接している。
【００１１】
前記アーム４４は、前記アーム４２の下方に配置され、その他端に形成された立ち上がり部４４ａが、取付体３４の内側の壁面に所定の間隔を存して水平に対向し、該立ち上がり部４４ａに前記調整ねじ４０の先端が図８に示すように、垂直に当接している。前記アーム４４の一方には、記録ヘッド８の前面を記録ヘッド８の長手方向に押圧するための押圧体５８が設けられ、該押圧体５８が、ヘッド固定部材８ｂの前面に当接している。前記アーム４２，押圧体５２及び調整ねじ５６は、前記インクジェット記録ヘッド８を前記支点係止手段３２を支点として揺動する方向に変位させる傾き調整手段を構成し、前記アーム４４，押圧体５８，立ち上がり部４４ａ及び調整ねじ４０は、インクジェット記録ヘッド８を前後方向に変位させる前後調整手段を構成している。
【００１２】
次に本実施形態の作用について説明する。
記録ヘッド８を開口部６０（図１０参照）が形成されたキャリッジ基板６ａ上のヘッド配置スペースにセッティングする場合には、台２８からばねホルダー２６を外した状態で、記録ヘッド８の、ヘッド固定部材８ｂから突出するヘッド本体８ａの底部を、前記開口部６０に遊嵌するとともに、ヘッド固定部材８ｂの底面をキャリッジ基板６ａ上のヘッド配置スペースに載置する。このとき、ヘッド固定部材８ｂの側面の一方（奥）と他方の突部２２，２０を、それぞれ支点係止手段３２と押圧体５２とに当接する。また、ヘッド固定部材８ｂの後面をヘッド弾発手段２４に弾接し、ヘッド固定部材８ｂの前面を押圧体５８に当接する。該状態において、台２８にばねホルダー２６を固定し、ばね３０の下向き傾斜部３０ａを記録ヘッド８の突部１６，１８に圧接する。これにより、記録ヘッド８の突部１６，１８は、図６（Ｂ）中、左側方と、下向き即ちキャリッジ基板６ａに密着する方向に、加圧される。
【００１３】
前記インクジェット記録ヘッド８の突部１６，１８の反対側の側面は、ばね３０の加圧力によって、押圧体５２と支点係止手段３２の円錐周面に弾接するとともに、これらの円錐周面によって下向きに案内され、ヘッド固定部材８ｂの底面は、キャリッジ基板６ａに押し付けられる。該状態において、ヘッド本体８ａのノズル配列ラインＬの、Ｘ軸に対する傾きを調整する場合には、調整ねじ５６を回転する。このねじ５６の回転により、ねじ５６が進退方向に移動すると、アーム４２は、軸５０を中心として、時計あるいは反時計方向に、キャリッジ基板６ａに対して水平な平面内で、揺動する。この揺動により、押圧体５２は、図７中、左右方向に移動し、この移動に伴って、記録ヘッド８は、支点係止手段３２を支点として、キャリッジ基板６ａに対して水平な平面内で、時計或いは反時計方向に回転する。
【００１４】
これにより、記録ヘッド８の、ノズル配列ラインＬの、Ｘ軸に対する傾きの調整を行うことができる。記録ヘッド８を、Ｘ軸に沿った、前後方向に調整する場合には、調整ねじ４０を回転する。ねじ４０の回転により、ねじ４０が進退方向に移動すると、アーム４４は、軸５０を中心として、図７中、時計或いは、反時計方向に、キャリッジ基板６ａに対して水平な平面内で、揺動する。このアーム４４の揺動により、押圧体５８は、前後方向に移動し、この移動に伴って、記録ヘッド８は、一側面を、支点係止手段３２と押圧体５２に規制された状態で、図７中、記録ヘッド８の主走査方向に対してほぼ直角な前後方向に移動する。これにより、記録ヘッド８の前後方向の位置の調整を行うことができる。
【００１５】
【発明の効果】
本発明は、上述の如く構成したので、記録ヘッドを簡単な機構により、キャリッジ側に前後方向及び傾き方向に調整自在に確実に取り付けることができる。
【図面の簡単な説明】
【図１】本発明の要部の平面図である。
【図２】本発明の説明的平面図である。
【図３】本発明の実施形態に用いられる取付体の説明的正面図である。
【図４】本発明の実施形態に用いられる傾き調整手段の説明図であり、（Ａ）は平面図、（Ｂ）は正面図である。
【図５】本発明の実施形態に用いられる前後調整手段の説明図であり、（Ａ）は平面図、（Ｂ）は正面図である。
【図６】本発明の説明図である。
【図７】本発明の説明的平面図である。
【図８】本発明の説明的平面図である。
【図９】本発明の説明的正面図である。
【図１０】インクジェットプリンタの外観図である。
【符号の説明】
２      Ｙレール
４      機体
６      ヘッドキャリッジ
８      インクジェット記録ヘッド
８ａ    ヘッド本体
８ｂ    ヘッド固定部材
１０    サブタンク
１２    紫外線照射装置
１４    プラテン
１６    突部
１８    突部
２０    突部
２２    突部
２４    ヘッド弾発手段
２６    ばねホルダー
２８    台
３０    板ばね
３２    支点係止手段
３４    取付体
３６    隙間
３８    隙間
４０    調整ねじ
４２    アーム
４４    アーム
４６    中間部
４８    一端部
５０    軸
５２    押圧体
５４    軸
５６    調整ねじ
５８    押圧体
６０    開口部
【図１】
2004243666.tif 000003
【図２】
2004243666.tif 000004
【図３】
2004243666.tif 000005
【図４】
2004243666.tif 000006
【図５】
2004243666.tif 000007
【図６】
2004243666.tif 000008
【図７】
2004243666.tif 000009
【図８】
2004243666.tif 000010
【図９】
2004243666.tif 000011
【図１０】
2004243666.tif 000012